(57)【要約】【課題】  車両の制御仕様を車両の使用状況に適合させて容易に変更できる制御仕様変更システム等を提供する。【解決手段】  制御仕様変更システム１は、相互に通信可能に構成された対象車両２０とサーバ３とを備える。対象車両２０は、メモリ２２１に記憶されている制御仕様データを用いて対象車両２０を制御する制御部２２２と、取得した車両情報データをサーバ３に送信する取得部２２３と、サーバ３から受信した仕様変更用データに基づいて、メモリ２２１に記憶された制御仕様データを変更する変更部２２４とを備える。サーバ３は、対象車両２０から車両情報データを受信したときに、対象車両２０の制御仕様を該受信した車両情報データに適合した制御仕様に変更するための仕様変更用データを決定し、該決定された仕様変更用データを対象車両２０に送信する決定部３２２を備える。【選択図】  図１
2014198517.tif 000002
【特許請求の範囲】
【請求項１】
相互に通信可能に構成された仕様可変車両と制御仕様データサーバとを備える制御仕様変更システムであって、
前記仕様可変車両は、
前記制御仕様データサーバとの間で通信を行うように構成された第１通信部と、
当該仕様可変車両の制御仕様を規定する制御仕様データを記憶するように構成された第１記憶部と、
前記第１記憶部に記憶されている制御仕様データを用いて当該仕様可変車両を制御するように構成された制御部と、
当該仕様可変車両に関する情報を示す車両情報データを取得して、該取得した車両情報データを前記第１通信部を介して前記制御仕様データサーバに送信するように構成された取得部と、
制御仕様データを変更するためのデータである仕様変更用データを、前記第１通信部を介して前記制御仕様データサーバから受信して、該受信した仕様変更用データに基づいて、前記第１記憶部に記憶された制御仕様データを変更するように構成された変更部とを備え、
前記制御仕様データサーバは、
前記仕様可変車両との間で通信を行うように構成された第２通信部と、
前記仕様可変車両から前記第２通信部を介して前記車両情報データを受信したときに、前記仕様可変車両の制御仕様を該受信した車両情報データに適合した制御仕様に変更するための前記仕様変更用データを決定し、該決定された仕様変更用データを前記第２通信部を介して前記仕様可変車両に送信するように構成された決定部とを備えることを特徴とする制御仕様変更システム。
【請求項２】
請求項１に記載の制御仕様変更システムにおいて、
前記第２通信部は、前記第１通信部と前記取得部とを少なくとも備える複数の情報提供車両との間で通信を行うように構成され、
前記制御仕様データサーバは、前記複数の情報提供車両から前記第２通信部を介して受信した複数の前記車両情報データを記憶するように構成された第２記憶部を備え、
前記決定部は、前記仕様可変車両から前記第２通信部を介して前記車両情報データを受信したときに、前記第２記憶部に記憶された前記複数の車両情報データのうち、前記仕様可変車両の車両情報データが満たしている所定の条件と同じ条件を満たしている車両情報データに基づいて、前記仕様変更用データを決定することを特徴とする制御仕様変更システム。
【請求項３】
制御仕様を規定する制御仕様データを用いて制御する仕様可変車両との間で通信を行うように構成された第２通信部と、
前記仕様可変車両に関する情報を示す車両情報データを、前記第２通信部を介して前記仕様可変車両から受信したときに、前記仕様可変車両の制御仕様を該受信した車両情報データに適合した制御仕様に変更するためのデータである仕様変更用データを決定し、該決定された仕様変更用データを前記第２通信部を介して前記仕様可変車両に送信するように構成された決定部とを備えることを特徴とする制御仕様データサーバ。
【請求項４】
請求項３に記載の制御仕様データサーバにおいて、
前記第２通信部は、前記車両情報データを当該制御仕様データサーバに送信するように構成された複数の情報提供車両との間で通信を行うように構成され、
前記制御仕様データサーバは、前記複数の情報提供車両から前記第２通信部を介して受信した複数の前記車両情報データを記憶するように構成された第２記憶部を備え、
前記決定部は、前記仕様可変車両から前記第２通信部を介して前記車両情報データを受信したときに、前記第２記憶部に記憶された前記複数の車両情報データのうち、前記仕様可変車両の車両情報データが満たしている所定の条件と同じ条件を満たしている車両情報データに基づいて、前記仕様変更用データを決定することを特徴とする制御仕様データサーバ。
【請求項５】
制御仕様を規定する制御仕様データを制御仕様データサーバから受信する仕様可変車両であって、
前記制御仕様データサーバとの間で通信を行うように構成された第１通信部と、
当該仕様可変車両の制御仕様を規定する制御仕様データを記憶するように構成された第１記憶部と、
前記第１記憶部に記憶されている制御仕様データを用いて当該仕様可変車両を制御するように構成された制御部と、
当該仕様可変車両に関する情報を示す車両情報データを取得して、該取得した車両情報データを前記第１通信部を介して前記制御仕様データサーバに送信するように構成された取得部と、
当該仕様可変車両の制御仕様が前記送信した車両情報データに適合した制御仕様となるように変更するための仕様変更用データを、前記第１通信部を介して前記制御仕様データサーバから受信したときに、該受信した仕様変更用データに基づいて、前記第１記憶部に記憶された制御仕様データを変更するように構成された変更部とを備えることを特徴とする仕様可変車両。
【発明の詳細な説明】
【技術分野】
【０００１】
本発明は、車両の制御仕様を変更する制御仕様変更システム、制御仕様データサーバ及び仕様可変車両に関する。
【背景技術】
【０００２】
従来、車両の制御パラメータ（車両の駆動系、懸架系及び操舵系の特性等を表すパラメータ）を、車両のユーザーがゲイン変更器を操作して変更することにより、車両の制御仕様をユーザーの好みに応じて変更できるようにした制御仕様変更システムが知られている（例えば、特許文献１参照）。
【先行技術文献】
【特許文献】
【０００３】
【特許文献１】特開平６−３２８９８１号公報
【発明の概要】
【発明が解決しようとする課題】
【０００４】
特許文献１に記載された制御仕様変更システムでは、ユーザーがゲイン変更器を操作して車両の制御仕様を変更しなければならず、車両の制御仕様の変更に手間がかかってしまう。また、ユーザーが自身の好みによって制御仕様を変更するものであるので、変更された制御仕様が車両の状況に適合した制御仕様になるとは限らない。
【０００５】
本発明は、以上の点に鑑みてなされたものであり、車両の制御仕様を車両の使用状況に適合させて容易に変更できる制御仕様変更システム等を提供することを目的とする。
【課題を解決するための手段】
【０００６】
本発明の制御仕様変更システムは、相互に通信可能に構成された仕様可変車両と制御仕様データサーバとを備える制御仕様変更システムであって、前記仕様可変車両は、前記制御仕様データサーバとの間で通信を行うように構成された第１通信部と、当該仕様可変車両の制御仕様を規定する制御仕様データを記憶するように構成された第１記憶部と、前記第１記憶部に記憶されている制御仕様データを用いて当該仕様可変車両を制御するように構成された制御部と、当該仕様可変車両に関する情報を示す車両情報データを取得して、該取得した車両情報データを前記第１通信部を介して前記制御仕様データサーバに送信するように構成された取得部と、制御仕様データを変更するためのデータである仕様変更用データを、前記第１通信部を介して前記制御仕様データサーバから受信して、該受信した仕様変更用データに基づいて、前記第１記憶部に記憶された制御仕様データを変更するように構成された変更部とを備え、前記制御仕様データサーバは、前記仕様可変車両との間で通信を行うように構成された第２通信部と、前記仕様可変車両から前記第２通信部を介して前記車両情報データを受信したときに、前記仕様可変車両の制御仕様を該受信した車両情報データに適合した制御仕様に変更するための前記仕様変更用データを決定し、該決定された仕様変更用データを前記第２通信部を介して前記仕様可変車両に送信するように構成された決定部とを備えることを特徴とする。
【０００７】
本発明によれば、仕様可変車両に備えられた取得部は、車両情報データを制御仕様データサーバに送信する。そして、制御仕様データサーバに備えられた決定部は、車両情報データを受信したときに、仕様可変車両の制御仕様を該受信した車両情報データに適合する制御仕様にするための仕様変更用データを仕様可変車両に送信する。そして、仕様可変車両に備えられた変更部は、仕様変更用データを受信したときに、該受信した仕様変更用データに基づいて、第１記憶部に記憶された制御仕様データを変更する。これにより、制御部は、該変更された制御仕様データを用いて仕様可変車両を制御することができる。
【０００８】
このように、本発明においては、仕様可変車両の制御仕様が、ユーザーの操作を介することなく車両情報データに適合した制御仕様に変更される。従って、仕様可変車両の制御仕様を当該仕様可変車両の使用状況に適合させて容易に変更できる。
【０００９】
本発明において、前記第２通信部は、前記第１通信部と前記取得部とを少なくとも備える複数の情報提供車両との間で通信を行うように構成され、前記制御仕様データサーバは、前記複数の情報提供車両から前記第２通信部を介して受信した複数の前記車両情報データを記憶するように構成された第２記憶部を備え、前記決定部は、前記仕様可変車両から前記第２通信部を介して前記車両情報データを受信したときに、前記第２記憶部に記憶された前記複数の車両情報データのうち、前記仕様可変車両の車両情報データが満たしている所定の条件と同じ条件を満たしている車両情報データに基づいて、前記仕様変更用データを決定することが好ましい。
【００１０】
この構成によれば、仕様可変車両が満たしている所定の条件と同じ条件を満たしている他の車両（情報提供車両）の車両情報データに基づいて、仕様可変車両の制御仕様が変更される。このように、仕様可変車両の制御仕様を仕様可変車両の車両情報データのみに基づいて変更する場合よりも多くの使用状況を考慮することができる。従って、仕様可変車両の制御仕様を、仕様可変車両の置かれた状況により適合した制御仕様に変更することができる。
【００１１】
次に、本発明の制御仕様データサーバは、制御仕様を規定する制御仕様データを用いて制御する仕様可変車両との間で通信を行うように構成された第２通信部と、前記仕様可変車両に関する情報を示す車両情報データを、前記第２通信部を介して前記仕様可変車両から受信したときに、前記仕様可変車両の制御仕様を該受信した車両情報データに適合した制御仕様に変更するためのデータである仕様変更用データを決定し、該決定された仕様変更用データを前記第２通信部を介して前記仕様可変車両に送信するように構成された決定部とを備えることを特徴とする。
【００１２】
本発明によれば、制御仕様データサーバに備えられた決定部は、車両情報データを受信したときに、仕様可変車両の制御仕様を該受信した車両情報データに適合する制御仕様とするための仕様変更用データを決定して仕様可変車両に送信する。そして、仕様可変車両は、該送信された仕様変更用データを受信して制御仕様データを変更することができる。
【００１３】
そのため、ユーザーの操作を介さない場合であっても、仕様可変車両の制御仕様を車両情報データに適合する制御仕様とすることができる。従って、仕様可変車両の制御仕様を仕様可変車両の使用状況に適合させて容易に変更できる。
【００１４】
本発明において、前記第２通信部は、前記車両情報データを当該制御仕様データサーバに送信するように構成された複数の情報提供車両との間で通信を行うように構成され、前記制御仕様データサーバは、前記複数の情報提供車両から前記第２通信部を介して受信した複数の前記車両情報データを記憶するように構成された第２記憶部を備え、前記決定部は、前記仕様可変車両から前記第２通信部を介して前記車両情報データを受信したときに、前記第２記憶部に記憶された前記複数の車両情報データのうち、前記仕様可変車両の車両情報データが満たしている所定の条件と同じ条件を満たしている車両情報データに基づいて、前記仕様変更用データを決定することが好ましい。
【００１５】
この構成によれば、制御仕様データサーバは、仕様可変車両が満たしている所定の条件と同じ条件を満たしている他の車両（情報提供車両）の車両情報データに基づいて、仕様可変車両の制御仕様を決定する。このように、仕様可変車両の制御仕様を仕様可変車両の車両情報データのみに基づいて変更する場合よりも多くの使用状況を考慮することができる。従って、仕様可変車両の制御仕様を、仕様可変車両の置かれた状況により適合した制御仕様に変更することができる。
【００１６】
次に、本発明の仕様可変車両は、制御仕様を規定する制御仕様データを制御仕様データサーバから受信する仕様可変車両であって、前記制御仕様データサーバとの間で通信を行うように構成された第１通信部と、当該仕様可変車両の制御仕様を規定する制御仕様データを記憶するように構成された第１記憶部と、前記第１記憶部に記憶されている制御仕様データを用いて当該仕様可変車両を制御するように構成された制御部と、当該仕様可変車両に関する情報を示す車両情報データを取得して、該取得した車両情報データを前記第１通信部を介して前記制御仕様データサーバに送信するように構成された取得部と、当該仕様可変車両の制御仕様が前記送信した車両情報データに適合した制御仕様となるように変更するための仕様変更用データを、前記第１通信部を介して前記制御仕様データサーバから受信したときに、該受信した仕様変更用データに基づいて、前記第１記憶部に記憶された制御仕様データを変更するように構成された変更部とを備えることを特徴とする。
【００１７】
本発明によれば、仕様可変車両に備えられた取得部は、車両情報データを制御仕様データサーバに送信する。これにより、仕様可変車両の制御仕様が該送信した車両情報データに適合した制御仕様となるように変更するための仕様変更用データが、制御仕様データサーバから送信される。そして、仕様可変車両に備えられた変更部は、該送信された仕様変更用データに基づいて、第１記憶部に記憶された制御仕様データを変更する。これにより、制御部は、該変更された制御仕様データを用いて仕様可変車両を制御することができる。
【００１８】
このように、仕様可変車両の制御仕様が、ユーザーの操作を介することなく車両情報データに適合した制御仕様に変更される。従って、仕様可変車両の制御仕様を当該仕様可変車両の使用状況に適合させて容易に変更できる。
【図面の簡単な説明】
【００１９】
【図１】本発明の実施形態の制御仕様変更システムの機能ブロック図。
【図２】本実施形態の車両制御装置及びサーバ制御装置によって実行される制御仕様を変更する処理の手順を示すフローチャート。
【図３】図２のステップＳＴ３０３の処理の詳細な手順を示すフローチャート。
【図４】図３のステップＳＴ３１１の処理の詳細な手順を示すフローチャート。
【発明を実施するための形態】
【００２０】
本発明の実施形態の車両の制御仕様変更システム１について図１を参照して説明する。
【００２１】
制御仕様変更システム１は、大まかに、複数の車両２０，Ｃ１〜ＣＮ（但し、Ｎは自然数。また、これらの車両は、本発明の仕様可変車両及び情報提供車両に相当する）と、サーバ３（本発明の制御仕様データサーバに相当する）とに分けられる。車両２０，Ｃ１〜ＣＮとサーバ３とは、相互に通信可能に構成されている。
【００２２】
以下、説明の便宜上、車両２０，Ｃ１〜ＣＮのうち、説明の主体となる車両２０を対象車両２０といい、対象車両２０以外の車両Ｃ１〜ＣＮを他車両Ｃ１〜ＣＮという。各車両２０，Ｃ１〜ＣＮの構成は同一であるため、ここでは、代表して対象車両２０の構成について説明する。
【００２３】
対象車両２０は、その制御仕様を変更可能に構成された車両（仕様可変車両）である。
【００２４】
詳細には、対象車両２０は、サーバ３（詳細には、サーバ３が備える第２通信部３１（後述））との間で無線通信を行う第１通信部２１と、車両制御装置２２とを備える。
【００２５】
また、対象車両２０は、車両情報データ（車両に関する情報を示すデータ）を検知する検知機器として、ＧＰＳ（Global Positioning System）受信機２６１、温度センサ２６２、ジャイロセンサ２６３、車速センサ２６４、及びアクセルペダルセンサ２６５を備えている。
【００２６】
ＧＰＳ受信機２６１は、位置情報（緯度及び経度）及び日時情報を含むＧＰＳ情報を受信する。温度センサ２６２は、対象車両２０の外部周辺の気温（外気温）を検知する。ジャイロセンサ２６３は、対象車両２０の水平線に対する傾斜角を検知する。車速センサ２６４は、対象車両２０の走行速度（車速）を検知する。アクセルペダルセンサ２６５は、アクセルペダルの操作量（アクセルペダル操作量）を検知する。
【００２７】
更に、対象車両２０は、充電池２３と、電動機２４と、エンジン２５とを備え、電動機２４及びエンジン２５を駆動源とするハイブリッド車両である。
【００２８】
充電池２３は、電動機２４に駆動電力を出力すると共に、電動機２４からの回生電力により充電される。
【００２９】
電動機２４は、充電池２３から出力された電力に応じた駆動力によって駆動輪（図示省略）を駆動する。また、電動機２４は、当該電動機２４を備える車両が制動されるときに、当該車両の運動エネルギーを電気エネルギーに変換して回生電力を得る発電機として機能する。
【００３０】
エンジン２５は、内燃機関として構成され、当該エンジン２５が出力した駆動力によって前記駆動輪（図示省略）を駆動する。
【００３１】
車両制御装置２２は、ＣＰＵ，ＲＯＭ，ＲＡＭ，Ｉ／Ｏ回路等により構成された電子回路ユニットである。車両制御装置２２は、ＲＯＭ及びＲＡＭ等からなるメモリ２２１（本発明の第１記憶部に相当する）に、当該車両自身の制御仕様を規定する制御仕様データが記憶される。ここで、制御仕様データとは、所定の制御用プログラムと、参照値、マップ及びテーブル等の制御用データの少なくともいずれかとからなるデータである。
【００３２】
また、車両制御装置２２は、メモリ２２１に記憶された制御仕様データの一部である制御用プログラムをＣＰＵで実行することにより、取得部２２３又は変更部２２４として機能すると共に、当該車両制御装置２２を備える車両の制御仕様に従った制御を行う（制御部２２２として機能する）。
【００３３】
サーバ３は、複数の車両２０，Ｃ１〜ＣＮ（詳細には、各車両２０，Ｃ１〜ＣＮが備える第１通信部２１）との間で無線通信を行う無線通信機からなる第２通信部３１と、当該サーバ３の作動を制御するサーバ制御装置３２とを備える。
【００３４】
サーバ制御装置３２は、ＣＰＵ，ＲＯＭ，ＲＡＭ，Ｉ／Ｏ回路等を有するコンピュータである。サーバ制御装置３２は、ＲＯＭ及びＲＡＭ等からなるストレージ３２１（本発明の第２記憶部に相当する）に、複数の車両情報データを記憶する。また、サーバ制御装置３２は、ＲＯＭ及びＲＡＭ等に記憶された制御用プログラムをＣＰＵで実行することにより、決定部３２２として機能する。
【００３５】
次に、図２〜図４を参照して、対象車両２０の車両制御装置２２及びサーバ３のサーバ制御装置３２の処理により、対象車両２０の制御仕様を変更する手順について説明する。
【００３６】
図２の右側のフローで示された車両制御装置２２の処理は、所定の周期毎（例えば、1分毎）に実行される。図２の左側のフローで示されたサーバ制御装置３２の処理は、車両２０，Ｃ１〜ＣＮから車両情報データが送信されたときに実行される。
【００３７】
車両制御装置２２は、まず最初のステップＳＴ２０１で、車両情報データを送信するべきか否かを判定する。車両制御装置２２は、例えば、前回の車両情報データのサーバ３への送信時から所定の時間（例えば、5分等）が経過している場合に、車両情報データを送信するべきと判定する。
【００３８】
なお、ステップＳＴ２０１における判定は、この条件による判定に限らず、他の条件によって判定してもよい。例えば、後述する車両の状況を分類する処理（図４参照）と同等の処理を、車両制御装置２２が実行し、この処理により分類された対象車両２０の状況が変化したことを条件として、車両情報データを送信するべきと判定するようにしてもよい。また、複数の条件を設定し、いずれかの条件を満たしたときに送信するべきと判定してもよいし、複数の条件の全てを満たしたときに送信するべきと判定してもよい。
【００３９】
車両制御装置２２は、ステップＳＴ２０１で車両情報データを送信するべきではないと判定された場合には、図２の右側のフローを終了する。
【００４０】
車両制御装置２２は、ステップＳＴ２０１で車両情報データを送信するべきと判定された場合にはステップＳＴ２０２に進み、各検知機器２６１〜２６５の出力等に基づいたデータを車両情報データとして取得する。
【００４１】
詳細には、車両制御装置２２は、ＧＰＳ受信機２６１が受信したＧＰＳデータの中にある位置情報及び日時情報と、温度センサ２６２が検知した外気温と、ジャイロセンサ２６３が検知した傾斜角と、車速センサ２６４が検知した車速と、アクセルペダルセンサ２６５が検知したアクセルペダル操作量と、充電池２３の充電状態（ＳＯＣ：State Of Charge）と、燃料消費推定量（アクセルペダル操作量の推移及び車速の推移等から推定されるエンジン２５が消費した燃料の量の推定値）と、これらの所定時間における推移とを車両情報データとして取得する。
【００４２】
また、車両情報データには、上記のデータに加え、車両情報データを送信する時点での対象車両２０の制御仕様を表す情報が含まれる。
【００４３】
車両制御装置２２は、ステップＳＴ２０２の処理が終了するとステップＳＴ２０３に進み、ステップＳＴ２０２で取得した車両情報データを第１通信部２１を介してサーバ３へ送信する。このとき、車両２０，Ｃ１〜ＣＮのうちいずれの車両から送信されたのかを識別可能にするために、対象車両２０に固有な識別情報が車両情報データに付与される。このため、サーバ３は、該識別情報によって、車両情報データを送信した車両を識別できる。
【００４４】
ここで、ステップＳＴ２０２及びＳＴ２０３が、取得部２２３の処理に相当する。
【００４５】
車両制御装置２２は、ステップＳＴ２０３の処理が終了すると、サーバ３からの応答を待ってから後述するステップＳＴ２０４以降の処理を実行する。
【００４６】
サーバ制御装置３２は、車両２０，Ｃ１〜ＣＮのいずれか（以降、説明の便宜上、対象車両２０から車両情報データを受信した場合について説明する）から車両情報データが送信されたときに、図２の左側のフローで示された処理を実行する。
【００４７】
サーバ制御装置３２は、まず最初のステップＳＴ３０１で、車両情報データを第２通信部３１を介して受信する。なお、サーバ制御装置３２は、ステップＳＴ３０１の処理が正常に終了しなかった場合には、再度車両情報データを送信するように対象車両２０に対して要求する。これにより、サーバ制御装置３２は、車両情報データを確実に受信することができる。
【００４８】
サーバ制御装置３２は、ステップＳＴ３０１の処理が終了するとステップＳＴ３０２に進み、ステップＳＴ３０１で取得した車両情報データをストレージ３２１に記憶する。
【００４９】
サーバ制御装置３２は、ステップＳＴ３０２の処理が終了するとステップＳＴ３０３に進み、該受信した車両情報データに適合した制御仕様を決定する。
【００５０】
ここで、図３を参照して、図２のステップＳＴ３０３の処理の詳細について説明する。
【００５１】
サーバ制御装置３２は、最初のステップＳＴ３１１で、車両情報データから車両の状況を図４に示されるフローに従って分類する。
【００５２】
ここで、図４を参照して、図３のステップＳＴ３１１の処理の詳細について説明する。サーバ制御装置３２は、図４のフローを実行することにより、車両情報データの各データに基づいて車両の状況を６つの状況（高外気温状況、低外気温状況、高勾配状況、渋滞状況、郊外状況、標準状況）に分類する。
【００５３】
サーバ制御装置３２は、対象車両２０が高外気温地域で使用されている場合（車両情報データのうち外気温が所定の高外気温判定温度より高い場合）には、対象車両２０の状況が、対象車両２０が高外気温地域にいる高外気温状況であると判断する（ステップＳＴ３２１でＹＥＳ及びステップＳＴ３２２）。
【００５４】
サーバ制御装置３２は、対象車両２０が低外気温地域で使用されている場合（外気温が所定の低外気温判定温度より低い場合）には、対象車両２０の状況が、対象車両２０が低外気温地域にいる低外気温状況であると判断する（ステップＳＴ３２３でＹＥＳ及びステップＳＴ３２４）。
【００５５】
サーバ制御装置３２は、対象車両２０が高勾配地域で使用されている場合（車両情報データのうち傾斜角の絶対値が所定の高勾配判定角度より大きい場合）には、対象車両２０の状況が、対象車両２０が高勾配地域にいる高勾配状況であると判断する（ステップＳＴ３２５でＹＥＳ及びステップＳＴ３２６）。
【００５６】
サーバ制御装置３２は、対象車両２０が渋滞地域で使用されている場合に、対象車両２０の状況が、対象車両２０が渋滞地域にいる渋滞状況であると判断する（ステップＳＴ３２７でＹＥＳ及びステップＳＴ３２８）。対象車両２０が渋滞地域で使用されているか否かは、車両情報データのうち車速の推移及び車両情報データのうちアクセルペダル操作量の推移に基づいて判断される。例えば、車速の推移及びアクセルペダル操作量の推移から、対象車両２０が、渋滞による停車と発進とを交互に繰り返していると推定される場合に、サーバ制御装置３２は対象車両２０の状況が渋滞状況であると判断している。
【００５７】
より詳細には、「車速が、予め定められた短い時間内で、所定の値よりも低い状態と、０（車両が停車している状態）の状態とが繰り返されている場合」又は「予め定められた短い時間内で、トルクが要求されていない状態（アクセルペダル操作量が０の状態）とトルクが要求されている状態（アクセルペダル操作量が０ではない状態）とが繰り返されている場合」には、サーバ制御装置３２は対象車両２０の状況が渋滞状況であると判断している。
【００５８】
サーバ制御装置３２は、対象車両２０が郊外地域で使用されている場合に、対象車両２０の状況が、対象車両２０が郊外地域にいる郊外状況であると判断する（ステップＳＴ３２９でＹＥＳ及びステップＳＴ３３０）。対象車両２０が郊外地域で使用されているか否かは、車両情報データのうち車速の推移及び車両情報データのうちアクセルペダル操作量の推移に基づいて（例えば、車速が一定（又はほぼ一定）に維持されている時間が所定の値以上であるか、又はアクセルペダル操作量が一定（又はほぼ一定）に維持されている時間が所定の値以上であるか等）、判断される。
【００５９】
上記ステップＳＴ３２１，ＳＴ３２３，ＳＴ３２５，ＳＴ３２７，ＳＴ３２９における判断条件は、各車両の状況を精度よく分類できるように、予め実験等によって決定される。
【００６０】
サーバ制御装置３２は、対象車両２０の状況が上記の５つの状況（高外気温状況、低外気温状況、高勾配状況、渋滞状況及び郊外状況）のいずれにも当て嵌らない場合には、対象車両２０の状況が標準状況であると判断する（ステップＳＴ３３１）。
【００６１】
なお、対象車両２０の状況を分類する条件は、上記のものに限らない。例えば、サーバ制御装置３２は、ＧＰＳが受信した位置情報及び日時情報と、その他の情報とに基づいて対象車両２０の状況を分類してもよい。
【００６２】
例えば、その他の情報が天気予報による予想気温の場合には、サーバ制御装置３２は、「位置情報に応じた地域」の「日時情報に応じた時間」に対する天気予報の予想気温を実際の外気温と仮定することができる。また、その他の情報が、各地域の過去の外気温の統計情報の場合には、サーバ制御装置３２は、「位置情報に応じた地域」の「日時情報に応じた時間」に対する統計情報の外気温から推定された外気温を実際の外気温と仮定することができる。
【００６３】
そして、サーバ制御装置３２は、このように仮定された外気温が、前述した所定の高外気温判定温度より高い場合に、対象車両２０の状況が対象車両２０が高外気温地域にいる高外気温状況であると判断し、前述した所定の低外気温判定温度より低い場合に、対象車両２０の状況が、対象車両２０が低外気温地域にいる低外気温状況であると判断する。
【００６４】
また、例えば、その他の情報が、サーバ３が参照可能な地図データ等に設定された傾斜角の場合には、サーバ制御装置３２は、「位置情報に応じた地域」に対する該地図データ等に設定された値から推定されて得られる傾斜角を実際の傾斜角と仮定して、前述した所定の高勾配判定角度より大きい場合には、対象車両２０の状況が、対象車両２０が高勾配地域にいる高勾配状況であると判断することができる。
【００６５】
また、例えば、その他の情報が渋滞情報の場合には、サーバ制御装置３２は、「位置情報に応じた地域」に対する渋滞情報に応じて、渋滞状況か否かを判断することができる。
【００６６】
また、例えば、その他の情報が、サーバ３が参照可能な地図データ等の場合には、サーバ制御装置３２は、「位置情報に応じた地域」に対する該地図データ等に応じて郊外状況か否かを判断することができる。
【００６７】
なお、車両の状況の分類は、図４に示された６つの状況に限らず、他の状況（例えば、高速道路を走行中の状況）を採用してもよいし、これらの状況全てではなくいくつかの状況に限定して分類してもよい。
【００６８】
以上が、図４に示された状況を分類する処理の詳細である。ここで、図３の説明に戻る。
【００６９】
サーバ制御装置３２は、ステップＳＴ３１１の処理が終了すると（図４のフローが終了すると）、ステップＳＴ３１２に進み、ストレージ３２１に記憶された複数の車両情報データのうち、同一の状況にある車両情報データを取得する。
【００７０】
詳細には、サーバ制御装置３２は、まず、ストレージ３２１に記憶された各車両情報データに対して、図４のフローと同じように当該車両情報データが取得されたときの車両の状況を分類する。そして、サーバ制御装置３２は、ストレージ３２１に記憶された各車両情報データのうち、ステップＳＴ３１１で分類された対象車両２０の状況と同一の状況に分類された１又は複数の車両情報データ（以下、このような車両情報データを「同一状況車両情報データ」という）を取得する。
【００７１】
ここで、ステップＳＴ３１２で取得された同一状況車両情報データが、本発明の、「第２記憶部に記憶された前記複数の車両情報データのうち、前記仕様可変車両の車両情報データが満たしている所定の条件と同じ条件を満たしている車両情報データ」に相当する。また、本発明の「所定の条件」とは、図４のように車両の状況を判断するための判断条件である（上記ステップＳＴ３２１，ＳＴ３２３，ＳＴ３２５，ＳＴ３２７，ＳＴ３２９）。
【００７２】
サーバ制御装置３２は、ステップＳＴ３１２の処理が終了するとステップＳＴ３１３に進み、ステップＳＴ３１２で取得された同一状況車両情報データに基づいて、対象車両２０の状況に適合した制御仕様を決定する。
【００７３】
例えば、サーバ制御装置３２は、各同一状況車両情報データにおいて、燃料消費推定量及びその推移より、燃費効率がよい同一状況車両情報データに含まれる制御仕様を表す情報に基づいて、対象車両２０の制御仕様を決定する。
【００７４】
詳細には、サーバ制御装置３２は、該当する同一状況車両情報データが複数ある場合には、各同一状況車両情報データのうち、最も燃費効率がよい同一状況車両情報データに含まれる制御仕様を表す情報によって得られる制御仕様と同一の制御仕様となるように、対象車両２０の制御仕様を決定する。
【００７５】
対象車両２０の制御仕様が、このように決定された制御仕様になることで、対象車両２０の燃費効率がよくなることが期待される。
【００７６】
このように、サーバ制御装置３２が、対象車両２０の状況と同一の状況のときの１又は複数の車両情報データに基づいて対象車両２０の制御仕様を決定するので、対象車両２０の車両情報データのみに基づいて対象車両２０の制御仕様を決定する場合に比べて、より多くの状況が考慮されるので、対象車両２０の状況に、より適合した制御仕様に決定できる。
【００７７】
また、例えば、走行時に得られたデータに基づいて学習するような車両の場合、データの収集のために、ある程度の時間又は距離を走行した後でないと、最適な制御仕様を得るのが難しい。
【００７８】
それに対して、本実施形態の制御仕様変更システム１においては、上記の説明のように、サーバ制御装置３２が、既にストレージ３２１に記憶された、対象車両２０の状況と同一の状況にある他車両ＣＮの車両情報データに含まれる制御仕様のうち、対象車両２０にとって適切な（例えば、燃費効率がよい）状態の制御仕様に基づいて、対象車両２０の制御仕様を決定する。このため、本実施形態においては、走行時間又は走行距離が少ない場合又は０の場合であっても、対象車両２０の状況に適合した制御仕様に変更できる。
【００７９】
なお、サーバ制御装置３２は、燃費効率がよくなるような制御仕様に変更するだけではなく、様々な目的を持つ制御仕様に変更してもよい。例えば、サーバ制御装置３２は、充電池２３の耐久性が向上するような制御仕様、又はドライバビリティがよくなるような制御仕様に変更してもよい。
【００８０】
ここで、上記６つの状況に応じて、具体的に、サーバ制御装置３２がどのように制御仕様を決定するのかについて説明する。
【００８１】
ここでは、サーバ制御装置３２は、「充電池２３のＳＯＣの目標値（目標ＳＯＣ）」又は「車両に対するアクセルペダル開度（もしくは要求出力）及び車速に応じた電動機２４の出力トルクを規定したモータトルクマップ」等を、各状況（高外気温状況、低外気温状況、高勾配状況、渋滞状況、郊外状況及び標準状況）に適合するように変更する場合を例に説明する。
【００８２】
本例では、サーバ制御装置３２は、標準状況においては燃費効率が最もよくなるような（又は充電池２３の耐久性が向上するような）目標ＳＯＣ又はモータトルクマップを用いるように制御仕様を変更する。サーバ制御装置３２は、高外気温状況においては空調装置（図示省略）が多用されることが予測されるため、これを考慮したモータトルクマップに変更するか又は電動機２４の駆動力のみの走行からエンジン２５を始動する条件を変更するように制御仕様を変更する。
【００８３】
また、サーバ制御装置３２は、低外気温状況においては充電池２３の出力効率が低下するため、これを考慮したモータトルクマップを用いるように制御仕様を変更する。サーバ制御装置３２は、高勾配状況で且つ下り坂の状況においては下り坂で回生電力を多く得ることが期待できるので、通常より小さな目標ＳＯＣを用いるように制御仕様を変更する。
【００８４】
サーバ制御装置３２は、渋滞状況においては停車と発進とが短時間で繰り返されることが予測されるので、これを考慮したモータトルクマップ及び目標ＳＯＣを用いるように制御仕様を変更する。郊外状況においては停車及び発進の頻度が低くなることが予測されるので、これを考慮したモータトルクマップ及び目標ＳＯＣを用いるように制御仕様を変更する。
【００８５】
なお、サーバ制御装置３２が受信した車両情報データに適合した制御仕様を決定する処理は、上記のものに限られない。
【００８６】
サーバ制御装置３２は、ステップＳＴ３０３の処理が終了するとステップＳＴ３０４に進み、ステップＳＴ３０３で決定された制御仕様に基づいて、仕様変更用データを決定する。ここで、仕様変更用データは、制御仕様データを変更するためのデータである。例えば、対象車両２０の制御仕様をサーバ制御装置３２が決定した新たな制御仕様とするために、現時点の対象車両２０の制御仕様において特定の参照値を変更する場合には、仕様変更用データは、当該参照値を変更することを示す情報と新たな参照値とからなる。
【００８７】
なお、仕様変更用データは、後述するステップＳＴ２０５の処理において、対象車両２０の車両制御装置２２が、受信したデータをそのままメモリ２２１に書き込むように処理する場合には、制御仕様データそのものであってもよい。
【００８８】
サーバ制御装置３２は、ステップＳＴ３０４の処理が終了するとステップＳＴ３０５に進み、ステップＳＴ３０１で受信した車両情報データに付与された識別情報に応じた車両（対象車両２０）に対して、ステップＳＴ３０４で決定した仕様変更用データを送信する。サーバ制御装置３２は、ステップＳＴ３０５の処理が終了すると、図２の左側のフローの処理を終了する。
【００８９】
ここで、ステップＳＴ３０３〜ＳＴ３０５が、決定部３２２の処理に相当する。
【００９０】
車両制御装置２２は、サーバ３から仕様変更用データが送信されると、ステップＳＴ２０４の処理を実行する。車両制御装置２２は、ステップＳＴ２０４で、サーバ３から第１通信部２１を介して仕様変更用データを受信する。
【００９１】
なお、車両制御装置２２は、ステップＳＴ２０４の処理が正常に終了しなかった場合には、再度仕様変更用データを送信するようにサーバ３に対して要求するか、又は車両情報データをサーバ３に再度送信する。これにより、車両制御装置２２は、仕様変更用データを確実に受信することができる。
【００９２】
車両制御装置２２は、ステップＳＴ２０４の処理が終了するとステップＳＴ２０５に進み、ステップＳＴ２０４で受信した仕様変更用データに基づいてメモリ２２１の内容を変更する。ここで、ステップＳＴ２０４及びＳＴ２０５が、変更部２２４の処理に相当する。
【００９３】
車両制御装置２２は、ステップＳＴ２０５の処理が終了すると図２の右側のフローを終了する。
【００９４】
以上のように、対象車両２０は、サーバ３から当該対象車両２０の車両情報データに適合した仕様変更用データを受信して、メモリ２２１に記憶された制御仕様データを変更する。これにより、対象車両２０の制御仕様が、対象車両２０の状況に適合した制御仕様に変更される。従って、ユーザーの特別な操作を介することなく、対象車両２０の制御仕様を当該対象車両２０の使用状況に適合させて容易に変更できる。
【００９５】
なお、本実施形態では、他車両Ｃ１〜ＣＮの各々が、制御仕様を変更可能に構成された仕様可変車両である場合を例に説明した。しかしながら、他車両Ｃ１〜ＣＮの各々は、少なくとも第１通信部２１と取得部２２３とを備える車両（本発明の情報提供車両に相当する）であればよい。
【００９６】
また、本実施形態では、車両２０，Ｃ１〜ＣＮの各々が、車両情報データを検知する検知機器として、ＧＰＳ受信機２６１、温度センサ２６２、ジャイロセンサ２６３、車速センサ２６４、及びアクセルペダルセンサ２６５を備えているが、これら以外の検知機器を備えている構成であってもよいし、これらのうち少なくともいずれかを備えていない構成であってもよい。
【００９７】
また、本実施形態では、位置情報及び日時情報と、外気温と、傾斜角と、車速と、アクセルペダル操作量と、これらの所定時間における推移と充電池２３のＳＯＣと、現時点の対象車両２０の制御仕様を識別する情報とを車両情報データとしているが、車両情報データには、これらデータ以外の情報が含まれていてもよいし、これらのうち少なくともいずれかが含まれていなくてもよい。
【００９８】
また、本実施形態では、各車両２０，Ｃ１〜ＣＮをハイブリッド車両として説明しているが、これに限らず、例えば、各車両２０，Ｃ１〜ＣＮは、駆動源としてエンジン２５のみを備えるガソリン車両、及び駆動源として電動機２４のみを備える電動車両等の様々な構成の車両であってもよい。また、本実施形態では、各車両２０，Ｃ１〜ＣＮを仕様可変車両として説明しているが、対象車両２０は仕様可変車両であればよく、他車両Ｃ１〜ＣＮは情報提供車両であれば仕様可変車両ではなくともよい。
【００９９】
また、本実施形態では、サーバ３が、仕様可変車両（対象車両２０）と同一の状況の車両情報データに基づいて、仕様可変車両の制御仕様を決定しているが、これに限らず、仕様可変車両の車両情報データのみに基づいて仕様可変車両の制御仕様を決定してもよい。この場合であっても、サーバが、仕様可変車両の車両情報データに適合した制御仕様を決定できるように構成されていれば、仕様可変車両の制御仕様を仕様可変車両の使用状況に適合させて容易に変更できるという本発明の効果が得られる。
【符号の説明】
【０１００】
１…制御仕様変更システム、２０…対象車両（仕様可変車両）、３…サーバ（制御仕様データサーバ）、Ｃ１〜ＣＮ…他車両（情報提供車両、仕様可変車両）、２１…第１通信部、２２１…メモリ（記憶部）、２２２…制御部、２２３…取得部、２２４…変更部、３１…第２通信部、３２１…ストレージ（第２記憶部）、３２２…決定部。
【図１】
2014198517.tif 000003
【図２】
2014198517.tif 000004
【図３】
2014198517.tif 000005
【図４】
2014198517.tif 000006